(57)【要約】【課題】貝の美しい模様や色彩が見えやすく、石や結晶を有効に利用でき、さらに装飾面が円滑な曲面で光沢を有する宝飾品の製造方法および宝飾品を提供する。【解決手段】本発明の宝飾品の製造方法は、一方の面を装飾面とし他方の面を裏面とする板状の本体を成形する工程と（ステップＳ１）、本体に少なくとも一つの貫通孔を設ける工程と（ステップＳ２）、貫通孔に裏面側から金属部品を嵌合させる工程と（ステップＳ４）、裏面に蓋部を設ける工程と（ステップＳ５）、装飾面を研磨する工程と（ステップＳ６）、を少なくとも含む。【選択図】図２
2017118954.tif 000002
【特許請求の範囲】
【請求項１】
宝飾品の製造方法であって、
一方の面を装飾面とし他方の面を裏面とする板状の本体を成形する工程と、
前記本体に少なくとも一つの貫通孔を設ける工程と、
前記貫通孔に前記裏面側から金属部品を嵌合させる工程と、
前記裏面に蓋部を設ける工程と、
前記装飾面を研磨する工程と、を少なくとも含むことを特徴とする宝飾品の製造方法。
【請求項２】
前記貫通孔は、前記裏面から前記装飾面の方向にテーパーを有することを特徴とする請求項１記載の宝飾品の製造方法。
【請求項３】
前記金属部品に、宝石を収容する収容部を設ける工程と、
前記収容部に宝石を石留する工程をさらに含むことを特徴とする請求項１または請求項２記載の宝飾品の製造方法。
【請求項４】
一方の面を装飾面とし他方の面を裏面とする板状の本体と、
前記本体に設けられ、前記裏面から前記装飾面の方向にテーパーを有する少なくとも一つの貫通孔と、
前記貫通孔に前記裏面側から嵌合された金属部品と、
前記金属部品に設けられた宝石を収容する収容部と、
前記収容部に石留された宝石と、
前記裏面に設けられた蓋部と、を備えることを特徴とする宝飾品。
【発明の詳細な説明】
【技術分野】
【０００１】
本発明は、宝飾品の製造方法および宝飾品に関する。
【背景技術】
【０００２】
従来から、模様や色彩が美しいことから、シロチョウガイ、クロチョウガイ、イケチョウガイといった貝が宝飾品として用いられてきた。これらの貝を成形し、表面に金属部品や宝石を設けることで、装飾性の高い宝飾品が提供されている。また、金、銀、プラチナ（白金）、パラジウムなどの貴金属やこれらの合金、さらに、ラピスラズリ、ガーネットのような数種の無機物の固溶体、オパール、黒曜石、モルダバイトのような非晶質、サンゴや真珠のように生物に起源するもの、コハクのように有機物であるもの、キュービックジルコニアを代表とする安定化剤を添加した人工合成物質などの宝石も、宝飾品として利用されている。
【０００３】
また、例えば、特許文献１には、真珠に彫刻を施すことによって装飾性を高めたアクセサリが開示されている。このアクセサリは、母材と真珠層とを有し、真珠層は、母材の表面に付着されている。また、表層に彫刻が施されており、この彫刻は真珠層の層厚よりも深さが小さくなるように形成されている。
【先行技術文献】
【特許文献】
【０００４】
【特許文献１】特開平０９−０９４１１１号公報
【発明の概要】
【発明が解決しようとする課題】
【０００５】
しかしながら、成形された貝の表面に金属部品や宝石を設けると、貝の美しい模様や色彩が見えにくくなってしまう。また、貝の表面に凹凸が設けられるため、金属部品や宝石を組み込んだ後に、研磨などの加工をすることができない。また、使用時に宝飾品の凹凸が衣服に引っかかったり、脱落してしまったりする場合もある。さらに、石や結晶は加工が容易でないため、石や結晶を有効に利用できる宝飾品の製造方法が望まれる。
【０００６】
本発明は、このような事情に鑑みてなされたものであり、貝の美しい模様や色彩が見えやすく、石や結晶を有効に利用でき、さらに装飾面が円滑な曲面で光沢を有する宝飾品の製造方法および宝飾品を提供することを目的とする。
【課題を解決するための手段】
【０００７】
（１）上記の目的を達成するために、本発明は、以下のような手段を講じた。すなわち、本発明の宝飾品の製造方法は、一方の面を装飾面とし他方の面を裏面とする板状の本体を成形する工程と、前記本体に少なくとも一つの貫通孔を設ける工程と、前記貫通孔に前記裏面側から金属部品を嵌合させる工程と、前記裏面に蓋部を設ける工程と、前記装飾面を研磨する工程と、を少なくとも含むことを特徴とする。
【０００８】
このように、本体に少なくとも一つの貫通孔を設け、貫通孔に裏面側から金属部品を嵌合させるので、装飾面の凹凸がほとんど無くなり、円滑な曲面を形成することが可能となる。これにより、本体に貝を用いた場合は、貝の模様や色彩が現れやすくなり、装飾面を研磨することによって、光沢を有する美しい宝飾品を製造することが可能となる。また、装飾面に凹凸がほとんど無くなるため、使用時に宝飾品の凹凸が衣服に引っかかったり、脱落してしまったりすることを回避することが可能となる。
【０００９】
（２）また、本発明の宝飾品の製造方法において、前記貫通孔は、前記裏面から前記装飾面の方向にテーパーを有することを特徴とする。
【００１０】
このように、貫通孔は、裏面から装飾面の方向にテーパーを有するので、金属部品が装飾面側から脱落することが無くなる。
【００１１】
（３）また、本発明の宝飾品の製造方法は、前記金属部品に、宝石を収容する収容部を設ける工程と、前記収容部に宝石を石留する工程をさらに含むことを特徴とする。
【００１２】
このように、金属部品に、宝石を収容する収容部を設け、収容部に宝石を石留するので、装飾面をさらに美しく仕立てることが可能となる。
【００１３】
（４）また、本発明の宝飾品は、一方の面を装飾面とし他方の面を裏面とする板状の本体と、前記本体に設けられ、前記裏面から前記装飾面の方向にテーパーを有する少なくとも一つの貫通孔と、前記貫通孔に前記裏面側から嵌合された金属部品と、前記金属部品に設けられた宝石を収容する収容部と、前記収容部に石留された宝石と、前記裏面に設けられた蓋部と、を備えることを特徴とする。
【００１４】
このように、本体に設けられ、裏面から装飾面の方向にテーパーを有する少なくとも一つの貫通孔に裏面側から嵌合された金属部品を有するので、装飾面の凹凸がほとんど無くなり、円滑な曲面を形成することが可能となる。これにより、本体に貝を用いた場合は、貝の模様や色彩が現れやすくなり、装飾面を研磨することによって、光沢を有する美しい宝飾品を製造することが可能となる。また、装飾面に凹凸がほとんど無くなるため、使用時に宝飾品の凹凸が衣服に引っかかったり、脱落してしまったりすることを回避することが可能となる。また、貫通孔は、裏面から装飾面の方向にテーパーを有するので、金属部品が装飾面側から脱落することが無くなる。また、収容部に石留された宝石を有するので、装飾面をさらに美しく仕立てることが可能となる。
【発明の効果】
【００１５】
本発明によれば、装飾面の凹凸がほとんど無くなり、円滑な曲面を形成することが可能となる。これにより、本体に貝を用いた場合は、貝の模様や色彩が現れやすくなり、装飾面を研磨することによって、光沢を有する美しい宝飾品を製造することが可能となる。また、装飾面に凹凸がほとんど無くなるため、使用時に宝飾品の凹凸が衣服に引っかかったり、脱落してしまったりすることを回避することが可能となる。
【図面の簡単な説明】
【００１６】
【図１】本発明の宝飾品の概略構成を示す図である。
【図２】本発明の宝飾品の製造方法を示すフローチャートである。
【図３】本発明の宝飾品の分解図である。
【図４】本体３の断面図である。
【図５】ステップＳ５が完了した状態を示す図である。
【図６】収容部９が設けられた状態を示す図である。
【発明を実施するための形態】
【００１７】
本発明者らは、宝飾品の製造過程において、伝統的な技法では、装飾面上に宝石や金属部品を取り付ける手法が採られてきたが、これだけでは宝飾品の表現方法に限界がある点に着目し、本体に貫通孔を設け、装飾面の裏側から金属部品を嵌合させることによって、宝飾品に従来にはない全く新しい表現を付することができることを見出し、本発明をするに至った。
【００１８】
すなわち、本発明の宝飾品の製造方法は、一方の面を装飾面とし他方の面を裏面とする板状の本体を成形する工程と、前記本体に少なくとも一つの貫通孔を設ける工程と、前記貫通孔に前記裏面側から金属部品を嵌合させる工程と、前記裏面に蓋部を設ける工程と、前記装飾面を研磨する工程と、を少なくとも含むことを特徴とする。
【００１９】
これにより、本発明者らは、装飾面の凹凸をほとんど無くし、円滑な曲面を形成することを可能とした。また、本体に貝を用いた場合は、貝の模様や色彩を現れやすくし、装飾面を研磨することによって、光沢を有する美しい宝飾品を製造することを可能とした。その結果、装飾面に凹凸がほとんど無くなり、使用時に宝飾品の凹凸が衣服に引っかかったり、脱落してしまったりすることを回避することが可能となった。以下、本発明の実施形態について図面を参照して説明する。
【００２０】
図１は、本発明の宝飾品の概略構成を示す図である。この宝飾品１は、シロチョウガイ、クロチョウガイ、イケチョウガイといった貝を板状に加工した本体３および蓋部５を備えている。本体３および蓋部５は、平面上に投影すると雨滴状の形状を有するように成形されている。本体３において、蓋部５の反対側の面（表面）が装飾面である。この装飾面は、３次元的な曲面を有している。
【００２１】
本体３には、花びらのデザインを有する金属部品７ａ、花の茎のデザインを有する金属部品７ｂおよび花の葉のデザインを有する金属部品７ｃが、本体３の裏面側から嵌め込まれている。また、金属部品７ａの中心部分、本体３の紙面に対して上端部に、宝石を収容する収容部９が設けられている。各収容部９には、例えば、ダイヤモンドなどの宝石１１が収容されている。なお、金属部品７ａ〜７ｃは、金、銀、プラチナ（白金）、パラジウムなどの貴金属やこれらの合金で構成することが可能である。
【００２２】
次に、本発明に係る宝飾品の製造方法について説明する。図２は、本発明の宝飾品の製造方法を示すフローチャートであり、図３は、本発明の宝飾品の分解図である。まず、シロチョウガイなどの貝で本体３と蓋部５を作成する（ステップＳ１）。本体３および蓋部５は、板状であって、その外形を、平面上に投影すると雨滴の形状を有するように形成する。次に、本体３に貫通孔８ａ、８ｂ、８ｃ、１０ａを設ける（ステップＳ２）。図４の断面図に示すように、例えば、貫通孔８ａは、テーパーを有しており、本体３の紙面に対して下側の裏面から反対側の装飾面の方向に径が小さくなっている。また、図４に示すように、貫通孔１０ａは、位置決めをするための切欠き部１０ｂを有していても良い。また、図４に示すように、貫通孔１２は、テーパーを有していないが、切欠き部１２ｂを有するように構成しても良い。これらの貫通孔により、嵌合する金属部品が装飾面側から脱落することが無い。
【００２３】
次に、各貫通孔に適合する金属部品を成形する（ステップＳ３）。図３では、金属部品７ａ〜７ｃ、９ａが成形された状態を示している。金属部品７ａには、花のめしべのデザインを有する部分が嵌合する溝部７ｄが設けられている。また、２つの金属部品９ａについては、本体３に設けられた切欠き部１０ｂに係合する一対の突起９ｂが設けられている。次に、各貫通孔に、本体３の裏面から各金属部品を嵌合させて（ステップＳ４）、本体３の裏面に蓋部５を貼り合わせる（ステップＳ５）。図５は、ステップＳ５が完了した状態を示している。
【００２４】
次に、本体３の表面である装飾面が、なだらかな曲面となるように研磨する（ステップＳ６）。これにより、装飾面には凹凸がほとんど無くなって、光沢が強まると共に、本体３を構成する貝の美しい模様や色彩が際立つようになる。次に、本体３の装飾面側から、例えば、ドリルを用いて金属部品に孔を開けて、収容部を形成する（ステップＳ７）。図６は、収容部９が設けられた状態を示す図である。次に、各収容部９に、例えば、ダイヤモンド等の宝石を石留し（ステップＳ８）、完成となる。図１は、本発明に係る宝飾品が完成した様子を示す図でもある。このように、金属部品９ａに、宝石を収容する収容部９を設け、宝石１１を石留するので、装飾面を美しく仕立てることが可能となる。
【００２５】
なお、宝飾品１にバチ環やフックを取り付け、チェーンや紐を通すことによって、ネックレスとして使用することが可能である。また、宝飾品１とリングとを組み合わせれば、指輪を構成することができ、また、宝飾品１とクリップやピンと組み合わせれば、ブローチを構成することも可能である。
【００２６】
以上説明したように、本実施形態によれば、宝飾品１は、本体３に設けられ、裏面から装飾面の方向にテーパーを有する貫通孔８ａ、８ｂ、８ｃ、１０ａに、裏面側から嵌合された金属部品７ａ〜７ｃ、９ａを有するので、装飾面の凹凸がほとんど無くなり、円滑な曲面を形成することが可能となる。これにより、貝の模様や色彩が現れやすくなる。また、装飾面を研磨するので、光沢を有する美しい宝飾品を製造することが可能となる。また、装飾面に凹凸がほとんど無くなるため、使用時に宝飾品の凹凸が衣服に引っかかったり、脱落してしまったりすることを回避することが可能となる。また、貫通孔８ａ、８ｂ、８ｃ、１０ａは、裏面から装飾面の方向にテーパーを有するので、金属部品７ａ〜７ｃ、９ａが装飾面側から脱落することが無くなる。また、収容部９に石留された宝石１１を有するの、装飾面をさらに美しく仕立てることが可能となる。
【符号の説明】
【００２７】
１  宝飾品
３  本体
５  蓋部
７ａ  金属部品
７ｂ  金属部品
７ｃ  金属部品
７ｄ  溝部
８ａ  貫通孔
８ｂ  貫通孔
８ｃ  貫通孔
９  収容部
９ａ  金属部品
９ｂ  突起
１０ａ  貫通孔
１０ｂ  切欠き部
１１  宝石
１２  貫通孔
１２ｂ  切欠き部
【図１】
2017118954.tif 000003
【図２】
2017118954.tif 000004
【図３】
2017118954.tif 000005
【図４】
2017118954.tif 000006
【図５】
2017118954.tif 000007
【図６】
2017118954.tif 000008